(57)【要約】【課題】木本類の植栽に適した三角保持枠及び緑化法面の構造を提供すること。【解決手段】植生基材６の保持枠として法面の横方向に配置する三角保持枠１であって、網目材を断面が山形になるように成形し、一面を前記植生基材の投入が可能な程度に粗目２１に仕上げ、法面に設置した場合に谷側に露出する他面の露出部を、前記植生基材の流出を防止するように細目２２に仕上げたことを特徴とするものである。また、この三角保持枠１を、法面方向に間隔を置いて、法面の横方向に向けて複数配置し、前記三角保持枠間に、法面方向に向けた縦芯材３１を掛け渡し、前記縦芯材をアンカー４で固定し、前記縦芯材の周囲にセメント系固化材を吹き付けて縦枠３を構築し、前記三角保持枠の内部に植生基材６を充填して緑化法面の構造を構築する。【選択図】        図１
2004190432.tif 000002
【特許請求の範囲】
【請求項１】
植生基材の保持枠として法面の横方向に配置する三角保持枠であって、
網目材を断面が山形になるように成形し、
一面を前記植生基材の投入が可能な程度に粗目に仕上げ、
法面に設置した場合に谷側に露出する他面の露出部を、前記植生基材の流出を防止するように細目に仕上げたことを特徴とする、
三角保持枠。
【請求項２】
細目に仕上げた前記露出部の下方に位置する埋設部を、粗目に仕上げたことを特徴とする、請求項１記載の三角保持枠。
【請求項３】
前記網目材の網目を、前記三角保持枠の長手方向と並行して配置される横材と、
前記横材に略直交する縦材で形成したことを特徴とする、請求項１又は２記載の三角保持枠。
【請求項４】
請求項１乃至３のいずれかに記載の三角保持枠を、法面方向に間隔を置いて、法面の横方向に向けて複数配置し、
前記三角保持枠間に、法面方向に向けた縦芯材を掛け渡し、
前記縦芯材をアンカーで固定し、
前記縦芯材の周囲にセメント系固化材を吹き付けて縦枠を構築し、
前記三角保持枠の内部に植生基材を充填して構築した、
緑化法面の構造。
【請求項５】
請求項４に記載の緑化法面の構造において、
前記三角保持枠間の前記縦芯材に、前記縦枠の外形を形成するための定規となる外形スペーサを配置したことを特徴とする、
緑化法面の構造。
【請求項６】
請求項４又は５に記載の緑化法面の構造において、
前記縦芯材の配置後に、前記縦芯材を支持材として前記三角保持枠の直上に横芯材を配置し、
前記横芯材の周囲にセメント系固化材を吹き付けて横枠を構築することを特徴とする、
緑化法面の構造。
【発明の詳細な説明】
【０００１】
【発明の属する技術分野】
本発明は、法面に植生基材を配置するための三角保持枠及び緑化法面の構造に関するものである。
【０００２】
【従来の技術】
従来、モルタル又はコンクリートを吹付ける吹付け法枠工では、法枠の側面となる位置に金網などを配置して型枠とし、型枠の形状を保持するために側面金網間にスペーサを設置する。そして、この型枠内部及び周辺にモルタルなどを吹付ける。なお、このスペーサは鉄筋を配置する場合の鉄筋支持材としての役割も果たす。
また、小規模の吹付け法枠を形成する場合は、法面に断続的に鉄筋支持材を配置して、その上に鉄筋を配置し、鉄筋の周辺にモルタルなどを吹付ける方法もある。この場合、断続的に法枠の外形を示す定規を設置して、吹付けの目安とすることもある。
さらに、法面を緑化するために、法面方向に吹付けコンクリート等で縦枠を構築し、縦枠間に客土などの植生基材を保持する保持枠を設ける方法があった（特許文献１，２参照）。
【０００３】
【特許文献１】
特開２０００−１７８９７９号公報
【特許文献２】
特開２００１−１４０２６２号公報
【０００４】
【本発明が解決しようとする課題】
前記した従来の緑化法面の構造にあっては、次のような問題点がある。
＜イ＞コンクリート等で横枠を構築し、植生基材の保持枠として使用した場合、横枠が表面水の法面方向の流れを遮断する。また、硬い法枠の近辺に植栽された木本類は、根の生長を法枠で阻害されるため、充分に生長できずに枯れる場合があった。
＜ロ＞樹木などの木本類を法面に植栽する場合は、ある程度の植生基材の厚みが必要となる。この厚みを確保するために、別途、ポケット状の部材を配置する場合もあるが、法枠の構築とは別作業となり、手間がかかることが多い。
【０００５】
【本発明の目的】
本発明は上記したような従来の問題を解決するためになされたもので、木本類の植栽に適した三角保持枠及び緑化法面の構造を提供することを目的とする。特に、木本類の生長を阻害しない三角保持枠及び緑化法面の構造を提供することを目的とする。
また、少ない部材で、容易に構築できる緑化法面の構造を提供することを目的とする。
本発明は、これらの目的の少なくとも一つを達成するものである。
【０００６】
【課題を解決するための手段】
上記のような目的を達成するために、本発明の三角保持枠は、植生基材の保持枠として法面の横方向に配置する三角保持枠であって、網目材を断面が山形になるように成形し、一面を前記植生基材の投入が可能な程度に粗目に仕上げ、法面に設置した場合に谷側に露出する他面の露出部を、前記植生基材の流出を防止するように細目に仕上げたことを特徴とするものである。ここで、細目に仕上げた前記露出部の下方に位置する埋設部は、粗目に仕上げるのが好ましい。
また、前記網目材の網目を、前記三角保持枠の長手方向と並行して配置される横材と、前記横材に略直交する縦材で形成することができる。
【０００７】
そして、本発明の緑化法面の構造は、上記のいずれかに記載の三角保持枠を、法面方向に間隔を置いて、法面の横方向に向けて複数配置し、前記三角保持枠間に、法面方向に向けた縦芯材を掛け渡し、前記縦芯材をアンカーで固定し、前記縦芯材の周囲にセメント系固化材を吹き付けて縦枠を構築し、前記三角保持枠の内部に植生基材を充填して構築した構造である。ここで、前記三角保持枠間の前記縦芯材に、前記縦枠の外形を形成するための定規となる外形スペーサを配置することができる。また、前記縦芯材の配置後に、前記縦芯材を支持材として前記三角保持枠の直上に横芯材を配置し、前記横芯材の周囲にセメント系固化材を吹き付けて横枠を構築してもよい。
【０００８】
【本発明の実施の形態】
以下、図面を参照しながら本発明の実施の形態について説明する。
【０００９】
＜イ＞三角保持枠
三角保持枠１は、植生基材６を内部に充填するための部材である。三角保持枠１は、法面方向とほぼ直交する、法面５の横方向に向けて配置する長尺部材である。
三角保持枠１は、横断面が山形になるように成形する。山形は、一枚の板状材料を折り曲げて成形しても、２枚の板状材料を接合して成形してもよい。また、山形の裾野部分の形状を特に限定するものではなく、図１は山形の裾野にウイング１３を設けた実施例である。
三角保持枠１の山形部は、溶接金網、クリンプ金網、エキスパンドメタル、ラス網、有孔板などの網目材で構成する。
そして、山形部の一面は、植生基材６を充填しやすいように網目材の目を粗く仕上げる。粗目２１は、網目の大きさを大きくした材料を使用したり、網材の一部を切断して開口部を広くしたりして形成する。粗目２１は、木本類６１の苗木の植栽が可能となる目の大きさに形成するのが好ましい。構造的に可能であれば、粗目２１を更に大きな網目として、木本類６１の幹の生長を妨げない大きさとすることもできる。
【００１０】
山形部の他面は、植生基材６の流出を防止するために網目材の目を細かく仕上げる。この他面は、三角保持枠１を法面５に設置したときに、谷側に露出する面である。この面を細目２２とすることで、植生基材６の流出を防止しつつ、水分や空気などの出入りを可能にすることができる。
細目２２に仕上げるためには、目の細かい網目材を使用したり、網目材に織布や不織布からなる土砂流出防止用シートを貼り付けたりする。例えば、目の粗い溶接金網で三角保持枠１の全体を構成し、細目２２に仕上げる部分に、不織布や目の細かいクリンプ金網を貼り付ける。
また、露出部の細目２２の下方、すなわち山形の裾野付近の面は、植生基材６で覆われるために、植生基材６が流出するおそれがなく、目を粗くすることができる。
【００１１】
＜ロ＞縦枠及び横枠
縦枠３は、法面５の法面方向に延伸して構築し、法面５の安定を図る構造物である。縦枠３は、鉄筋などの縦芯材３１の周囲に、コンクリートやモルタルなどのセメント系固化材を吹き付けて構築する。
縦芯材３１にセメント系固化材を吹き付けるだけでは、縦枠３の横断面の外形を所定の形状にするのが難しい場合は、縦芯材３１の長手方向に間隔をおいて複数の外形スペーサ７１を配置するのが好ましい。外形スペーサ７１が埋没するように吹き付けをおこなうことで、縦枠３に必要な断面形を確保することができる。図５に横枠８に配置した外形スペーサ７１を示した。
横枠８は、縦枠３とほぼ直交して交差するように構築する法枠である。横枠８も、縦枠３と同様に、横芯材８１の周囲にセメント系固化材を吹き付けて構築する。
【００１２】
＜ハ＞植生基材
植生基材６は、植物の生育に必要な材料をいい、客土、肥料、砂利、木質繊維、侵食防止剤及びこれらの混合物等が該当する。
本発明の緑化法面の構造においては、三角保持枠１の内部、三角保持枠１と縦枠３に囲まれた空間、三角保持枠１と縦枠３と横枠８に囲まれた空間に植生基材６を配置する。
【００１３】
【実施例】
以下に、本発明の緑化法面の構造を構築する施工方法の実施例について説明する。
【００１４】
＜イ＞三角保持枠の配置
法面５を整形した後に、必要に応じて法面５全体をラス金網７２で覆う。
そして、位置決めの目安とするために、下段に配置する縦芯材３１ａを、法面５の横方向に三角保持枠１の長さ程度の間隔を置いて複数配置する（図２，３（ａ）参照）。
三角保持枠１は、縦芯材３１ａの間に法面５の横方向に向けて配置する（図２，３（ｂ）参照）。三角保持枠１は、法面方向に間隔を置いて複数段配置する。ここでは、三角保持枠１として、全体を横材１１と縦材１２からなる溶接金網で構成し、細目２２に仕上げる部分に不織布を貼り付けて構成したものを使用する。また、粗目２１に仕上げる部分は、横材１１及び縦材１２の一部を切断して仕上げる（図１参照）。
【００１５】
＜ロ＞芯材の配置
上段の縦芯材３１ｂを、上下方向に配置した三角保持枠１間に掛け渡すように配置する（図２参照）。三角保持枠１の三角の頂上を形成する横材１１を、三角保持枠１の両端付近には配置しない構成とすることで、縦芯材３１ｂを開口した上方から容易に設置することができる（図１参照）。
上段の縦芯材３１ｂは、三角保持枠１の上段の横材１１に載せて支持させることができる（図３（ｃ）参照）。上段に配置される縦芯材３１ｂと、下段に配置される縦芯材３１ａは、その間に介在する２本の横材１１によって一定の間隔に保持される。すなわち、三角保持枠１は、縦芯材３１ａ，３１ｂの間隔を管理する寸法管理機能を有しているといえる。
また、縦芯材３１ａ，３１ｂの三角保持枠１における設置位置が決まっているわけではないため、法面５の地形、凹凸、施工誤差などに起因する、三角保持枠１と縦芯材３１ａ，３１ｂの相対位置のずれも、縦芯材３１ａ，３１ｂを横材１１に沿って動かすだけで容易に調節することができる。なお、最初に下段の縦芯材３１ａを配置しない場合は、上段の縦芯材３１ｂと同様に、この段階で配置することもできる。
上下方向に配置した三角保持枠１間のほぼ中央であって、配置した縦芯材３１の近傍にアンカー４を打設する。縦芯材３１は、線材などを使用してアンカー４と連結する。本例のように、縦芯材３１を配置した後にアンカー４を打設することも出来るが、予め所定の位置に打設しておいてもよい。
また、必要に応じて外形スペーサ７１を縦芯材３１の長手方向に間隔を置いて配置する（図４参照）。外形スペーサ７１は、縦芯材３１に線材などで結束することによって固定することができる。
【００１６】
また、横枠８を構築する場合は、配置した縦芯材３１を支持材として横芯材８１を配置する。既に設置済みの縦芯材３１が支持材として使用できるので、横芯材８１を支持するためだけのスペーサを予め設置する必要がない。
横芯材８１は、三角保持枠１の法面方向の直上に横枠８が構築されるように設置するのが好ましい（図５参照）。
縦芯材３１及び横芯材８１には、モルタル等のセメント系固化材を吹き付けて、縦枠３及び横枠８を構築する。
【００１７】
＜ハ＞植生基材の配置
三角保持枠１の内部に植生基材６を充填する。三角保持枠１の上面は粗目２１に仕上げてあるため、容易に植生基材６を充填することができる。また、粗目２１の中においても特に大きく開口した開口部から、木本類６１の苗木を植栽することができる。
植生基材６は、三角保持枠１と縦枠３に囲まれた空間、三角保持枠１と縦枠３と横枠８に囲まれた空間にも吹き付けなどによって配置する。これらの部分には、草本類が主に生育する。
三角保持枠１の細目２２に仕上げた露出部の下方に埋設部粗目２３がある場合は、木本類６１が生長すると、根６２を三角保持枠１の外側まで拡張することができる（図５参照）。このため、木本類６１の生育が阻害されず、木本類６１を充分に生長させることができる。
また、一般に、木本類６１の根６２は、下方に向けて伸長するため、図５に示すように横枠８を三角保持枠１の上方に配置すれば、硬い横枠８が根６２の生育を妨げることがない。さらに、木本類６１が生長すると、直上の横枠８は木本類６１の影に隠れることになる。このため、法面５全体が緑化されたような景観を作り出すことができる。
【００１８】
【本発明の効果】
本発明の三角保持枠及び緑化法面の構造は、以上説明したようになるから次のような効果を得ることができる。
＜イ＞断面が山形の三角保持枠を使用することで、木本類の植栽が可能となる。特に、一面を粗目に仕上げ、他面を細目に仕上げた本発明の三角保持枠は、木本類の植栽の施工性及び木本類の生育に適している。
＜ロ＞植生基材で埋設する三角保持枠の埋設部を、目の粗い構造とすることで、木本類の生育を阻害しない植生基材の保持枠とすることができる。
＜ハ＞三角保持枠を最大限に利用することで、縦枠及び横枠の構築が容易になり、簡単に緑化法面の構造を構築することができる。
【図面の簡単な説明】
【図１】本発明の三角保持枠の実施例の斜視図
【図２】本発明の三角保持枠を法面に設置した実施例の斜視図
【図３】本発明の三角保持枠及び縦芯材を法面に設置する手順を示した実施例の説明図
【図４】本発明の緑化法面の構造の構築方法の実施例の説明図
【図５】本発明の緑化法面の構造の実施例の断面図
【符号の説明】
１・・・三角保持枠
１１・・横材
１２・・縦材
２１・・粗目
２２・・細目
２３・・埋設部粗目
３・・・縦枠
３１・・縦芯材
４・・・アンカー
５・・・法面
６・・・植生基材
６１・・木本類
７１・・外形スペーサ
８・・・横枠
８１・・横芯材
【図１】
2004190432.tif 000003
【図２】
2004190432.tif 000004
【図３】
2004190432.tif 000005
【図４】
2004190432.tif 000006
【図５】
2004190432.tif 000007